(57)【要約】  ユーザに対して飽きさせることがないように楽曲データを再生可能な楽曲再生装置及び楽曲再生方法等を提供する。  本発明に係る楽曲再生装置は、記録手段に記録された複数の楽曲データの夫々の特徴を示す楽曲特徴量を取得し、前記取得された楽曲特徴量に基づいて、各前記楽曲データが所定の曲調を有するか否かを判別し、前記曲調を有すると判別された複数の楽曲データを所定の再生順序に並べつつ当該曲調に対応する再生リストに登録する。そして、当該楽曲再生装置は、前記所定の再生順序を変更するための再生態様の選択を受け付け、前記再生リストに登録されている複数の楽曲データの全部又は一部を当該再生態様に応じた前記再生順序に並べ替えて再生リストを再構成して、当該並べ替えられた再生順序で楽曲データを再生させる。【特許請求の範囲】
【請求項１】
記録手段に記録された複数の楽曲データの夫々の特徴を示す楽曲特徴量を取得する楽曲特徴量取得手段と、
前記取得された楽曲特徴量に基づいて、各前記楽曲データが所定の曲調を有するか否かを判別する曲調判別手段と、
前記曲調を有すると判別された複数の楽曲データを所定の再生順序に並べつつ当該曲調に対応する再生リストに登録する再生リスト登録手段と、
前記所定の再生順序を変更するための再生態様の選択を受け付ける再生態様選択受付手段と、
前記再生リストに登録されている複数の楽曲データの全部又は一部を当該再生態様に応じた前記再生順序に並べ替える再生リスト再構成手段と、
前記並べ替えられた再生順序で楽曲データを再生させる再生制御手段と、
を備えることを特徴とする楽曲再生装置。
【請求項２】
請求項１に記載の楽曲再生装置において、
前記再生リスト再構成手段は、前記複数の楽曲データの全部又は一部を曲調レベルが高い順と低い順とで交互に並べ替えることを特徴とする楽曲再生装置。
【請求項３】
請求項１に記載の楽曲再生装置において、
前記再生リスト再構成手段は、前記複数の楽曲データの全部又は一部を前記曲調レベルの高い順又は低い順に並べ替えることを特徴とする楽曲再生装置。
【請求項４】
請求項１乃至３の何れか一項に記載の楽曲再生装置において、
前記再生リスト再構成手段は、前記再生リストに登録されている複数の楽曲データのうち前記曲調レベルが所定レベル以上の一部の楽曲データを前記再生態様に応じた前記再生順序に並べ替えることを特徴とする楽曲再生装置。
【請求項５】
請求項１乃至３の何れか一項に記載の楽曲再生装置において、
前記再生リスト再構成手段は、前記再生リストに登録されている複数の楽曲データのうち前記曲調レベルが所定レベル以下の一部の楽曲データを前記再生態様に応じた前記再生順序に並べ替えることを特徴とする楽曲再生装置。
【請求項６】
請求項１乃至３の何れか一項に記載の楽曲再生装置において、
前記再生リスト再構成手段は、前記再生リストに登録されている複数の楽曲データのうち前記曲調レベルが第１レベル以上かつ第２レベル以下の一部の楽曲データを前記再生態様に応じた前記再生順序に並べ替えることを特徴とする楽曲再生装置。
【請求項７】
請求項１乃至３の何れか一項に記載の楽曲再生装置において、
前記再生リスト再構成手段は、前記再生リストに登録されている複数の楽曲データのうち前記一度再生された楽曲データ以外の楽曲データを前記再生態様に応じた前記再生順序に並べ替えることを特徴とする楽曲再生装置。
【請求項８】
記録手段に記録された複数の楽曲データの夫々の特徴を示す楽曲特徴量を取得する工程と、
前記取得された楽曲特徴量に基づいて、各前記楽曲データが所定の曲調を有するか否かを判別する工程と、
前記曲調を有すると判別された複数の楽曲データを所定の再生順序に並べつつ当該曲調に対応する再生リストに登録する工程と、
前記所定の再生順序を変更するための再生態様の選択を受け付ける工程と、
前記再生リストに登録されている複数の楽曲データの全部又は一部を当該再生態様に応じた前記再生順序に並べ替える工程と、
前記並べ替えられた再生順序で楽曲データを再生させる工程と、
を備えることを特徴とする楽曲再生方法。
【請求項９】
コンピュータを、
記録手段に記録された複数の楽曲データの夫々の特徴を示す楽曲特徴量を取得し、
前記取得された楽曲特徴量に基づいて、各前記楽曲データが所定の曲調を有するか否かを判別し、
前記曲調を有すると判別された複数の楽曲データを所定の再生順序に並べつつ当該曲調に対応する再生リストに登録し、
前記所定の再生順序を変更するための再生態様の選択を受け付け、
前記再生リストに登録されている複数の楽曲データの全部又は一部を当該再生態様に応じた前記再生順序に並べ替え、
前記並べ替えられた再生順序で楽曲データを再生させるように機能させることを特徴とする楽曲再生処理プログラム。
【請求項１０】
請求項９に記載の楽曲再生処理プログラムがコンピュータ読み取り可能に記録されていることを特徴とする記録媒体。
【発明の詳細な説明】
【技術分野】
【０００１】
本発明は、所定の曲調を有する楽曲データが登録された再生リストに従って当該楽曲データを再生する楽曲再生装置及び方法等に技術分野に関する。
【背景技術】
【０００２】
近年、ＨＤ（Hard Disc）等の記録媒体の大容量化や、ＭＰ（MPEG Audio Layer）３、ＡＴＲＡＣ（Adaptive TRansform Acoustic Coding）３等のデータ圧縮技術の進展により、ユーザが、例えばオーディオ機器やパーソナルコンピュータ等を使用して、例えば、多くのＣＤ(Compact Disc)や、ＭＤ(Mini Disc)、ＤＶＤ(Digital Versatile Disc)等に記録された楽曲データを、一つのＨＤ等に記録して再生することが可能になっている。更に、最近では、インターネット上における配信サーバから楽曲データをダウンロードして上記ＨＤ等に記録して再生することが可能になった。【０００３】
このように記録された多くの楽曲データは、一般に、再生リスト（プレイリスト）に登録され管理されるようになっており、例えば、特許文献１に開示された情報記録再生装置においては、ユーザにより入力された検索条件を満足する楽曲データを特定し、自動的にその検索条件に係る楽曲データの再生リストを作成することにより、ユーザが好みの楽曲データの再生リストを簡単に作成することが可能になっている。
【特許文献１】特開２００４−５８６２号公報
【発明の開示】
【発明が解決しようとする課題】
【０００４】
ところで、楽曲には、例えば明るい曲、静かな曲、悲しい曲等の様々な曲調があり、このような曲調は、ビート（拍：強弱を持った一定のパルス信号）やコード（和音、又は和音の組合せ）進行等の楽曲の特徴を示す特徴量を検出することによって判別可能である。このような曲調判別によって、曲調が同じ（例えば明るい）楽曲データばかりを集めた再生リストを作成することができれば利便性が高いと考えられる。【０００５】
しかしながら、このような再生リストに登録された楽曲データの再生順序（例えば曲調レベルが高い順に再生される）は固定的であるため、ユーザは、何度か当該再生リストを使用して楽曲データを再生させると、次第に飽きてしまうということが予想される。【０００６】
そこで、このような問題の解消を一つの課題とし、ユーザに対して飽きさせることがないように楽曲データを再生可能な楽曲再生装置及び楽曲再生方法等を提供することを目的する。
【課題を解決するための手段】
【０００７】
上記課題を解決するため、本願の一つの観点では、記録手段に記録された複数の楽曲データの夫々の特徴を示す楽曲特徴量を取得する楽曲特徴量取得手段と、前記取得された楽曲特徴量に基づいて、各前記楽曲データが所定の曲調を有するか否かを判別する曲調判別手段と、前記曲調を有すると判別された複数の楽曲データを所定の再生順序に並べつつ当該曲調に対応する再生リストに登録する再生リスト登録手段と、前記所定の再生順序を変更するための再生態様の選択を受け付ける再生態様選択受付手段と、前記再生リストに登録されている複数の楽曲データの全部又は一部を当該再生態様に応じた前記再生順序に並べ替える再生リスト再構成手段と、前記並べ替えられた再生順序で楽曲データを再生させる再生制御手段と、を備えることを特徴とする。【０００８】
また、前記再生リスト再構成手段は、前記複数の楽曲データの全部又は一部を曲調レベルが高い順と低い順とで交互に並べ替えることを特徴とする。【０００９】
また、前記再生リスト再構成手段は、前記複数の楽曲データの全部又は一部を前記曲調レベルの高い順又は低い順に並べ替えることを特徴とする。【００１０】
また、前記再生リスト再構成手段は、前記再生リストに登録されている複数の楽曲データのうち前記曲調レベルが所定レベル以上の一部の楽曲データを前記再生態様に応じた前記再生順序に並べ替えることを特徴とする。【００１１】
また、前記再生リスト再構成手段は、前記再生リストに登録されている複数の楽曲データのうち前記曲調レベルが所定レベル以下の一部の楽曲データを前記再生態様に応じた前記再生順序に並べ替えることを特徴とする。【００１２】
また、前記再生リスト再構成手段は、前記再生リストに登録されている複数の楽曲データのうち前記曲調レベルが第１レベル以上かつ第２レベル以下の一部の楽曲データを前記再生態様に応じた前記再生順序に並べ替えることを特徴とする。【００１３】
また、前記再生リスト再構成手段は、前記再生リストに登録されている複数の楽曲データのうち前記一度再生された楽曲データ以外の楽曲データを前記再生態様に応じた前記再生順序に並べ替えることを特徴とする。【００１４】
上記課題を解決するため、本願の他の観点では、記録手段に記録された複数の楽曲データの夫々の特徴を示す楽曲特徴量を取得する工程と、前記取得された楽曲特徴量に基づいて、各前記楽曲データが所定の曲調を有するか否かを判別する工程と、前記曲調を有すると判別された複数の楽曲データを所定の再生順序に並べつつ当該曲調に対応する再生リストに登録する工程と、前記所定の再生順序を変更するための再生態様の選択を受け付ける工程と、前記再生リストに登録されている複数の楽曲データの全部又は一部を当該再生態様に応じた前記再生順序に並べ替える工程と、前記並べ替えられた再生順序で楽曲データを再生させる工程と、を備えることを特徴とする。【００１５】
上述した課題を解決するため、本願の更に他の観点では、コンピュータを、記録手段に記録された複数の楽曲データの夫々の特徴を示す楽曲特徴量を取得し、前記取得された楽曲特徴量に基づいて、各前記楽曲データが所定の曲調を有するか否かを判別し、前記曲調を有すると判別された複数の楽曲データを所定の再生順序に並べつつ当該曲調に対応する再生リストに登録し、前記所定の再生順序を変更するための再生態様の選択を受け付け、前記再生リストに登録されている複数の楽曲データの全部又は一部を当該再生態様に応じた前記再生順序に並べ替え、前記並べ替えられた再生順序で楽曲データを再生させるように機能させることを特徴とする。【００１６】
上述した課題を解決するため、本願の更に他の観点では、前記楽曲再生処理プログラムがコンピュータ読み取り可能に記録されていることを特徴とする。
【図面の簡単な説明】
【００１７】
【図１】本実施形態における情報再生記録装置の概要ブロック例を示す図である。
【図２】曲調と楽曲特徴量との関係を規定したテーブルの一例を示す図である。
【図３】再生リストに従って楽曲データが再生される場合のシステム制御部１７の楽曲再生処理の一例を示すフローチャートである。
【図４】再生リストに楽曲データが登録され、その後、再生リストが再構成される様子の一例を示す図である。
【符号の説明】
【００１８】
１  情報再生記録装置
１１  情報再生部
１２  情報出力部
１３  楽曲特徴量抽出部
１４  情報記録再生部
１５  操作部
１６  表示部
１７  システム制御部
【発明を実施するための最良の形態】
【００１９】
以下、本願の最良の実施形態を添付図面に基づいて説明する。なお、以下に説明する実施の形態は、情報再生記録装置に対して本願の楽曲再生装置及び方法等を適用した場合の実施形態である。【００２０】
先ず、図１を参照して、本実施形態における情報再生記録装置の構成及び機能を説明する。図１は、本実施形態における情報再生記録装置の概要ブロック例を示す図である。【００２１】
図１に示すように、情報再生記録装置１は、情報再生部１１、情報出力部１２、楽曲特徴量抽出部１３、情報記録再生部１４、操作部１５、表示部１６、及びシステム制御部１７を備えて構成されている。【００２２】
情報再生部１１は、システム制御部１７の制御下、磁気テープ、ＣＤ（Compact Disc：ＣＤ−ＤＡ（Digital Audio）、ＣＤ−Ｒ、ＣＤ−Ｒ／Ｗ等の総称）、ＭＤ（Mini Disc）、ＤＶＤ（Digital Versatile Disc：ＤＶＤ−Audio、ＤＶＤ−Video、ＤＶＤ−Ｒ、ＤＶＤ−ＲＷ等の総称）、又はカード型記録媒体（例えば、メモリースティック）等の記録媒体（記録手段）に記録された楽曲データを再生し、当該楽曲データを情報出力部１２、楽曲特徴量抽出部１３、及び情報記録再生部１４に出力するようになっている。【００２３】
例えば、情報再生部１１がＣＤ（例えば、ＣＤ−ＤＡ）に記録された楽曲データを再生するものである場合、当該情報再生部１１は、図示しないが、当該ＣＤに光ビームを照射して記録情報を光学的に読み取り電気信号に光電変換し出力する光ピックアップ、当該光ピックアップから出力された電気信号からＲＦ（Radio Frequency）信号等を生成して出力するＲＦアンプ、当該ＲＦ信号に所定の復調処理及び誤り訂正処理等を行いデジタル信号に変換して楽曲データ（圧縮されている楽曲データについてはデコード処理を施す）を再生するデジタル信号処理回路（例えばＤＳＰ（Digital Signal Processor）等により構成）及び、スピンドルモータ及び光ピックアップをサーボ制御するサーボ回路等を備え、当該楽曲データの再生、出力を行う。なお、ＣＤ以外の記録媒体から楽曲データを再生するための構成及び機能については公知の技術であるので、詳しい説明は省略する。また、マルチメディアプレーヤのように、複数の記録媒体から楽曲データを再生するように構成してもよい。【００２４】
情報出力部１２は、図示しないが、情報再生部１１により再生出力された楽曲データ（デジタル音声信号）を入力し、これをアナログ音声信号に変換するＤＡＣ（Digital-to-Analog Converter）、当該アナログ音声信号を増幅して出力するＡＭＰ（Amplifier）、及び増幅されたアナログ音声信号を音波として出力するスピーカ等を備えており、楽曲をスピーカから出力するようになっている。【００２５】
楽曲特徴量抽出部１３は、例えばＤＳＰ等により構成されており、情報再生部１１により再生出力された楽曲データを入力し、当該楽曲データから当該楽曲データの特徴を示す楽曲特徴量を抽出し、情報記録再生部１４及びシステム制御部１７に出力するようになっている。【００２６】
ここで、楽曲特徴量とは、その楽曲の特徴を定量的に示す情報（例えば、０〜１００の間の数値等で表される）であり、これには、例えば、楽曲の楽音から得られる楽音特徴量などが含まれる。【００２７】
楽音特徴量としては、キー（ハ長調、イ短調等の曲の調性）、キーの変化位置（又は変化パターン）、コード（和音、又は和音の組合せ）、当該コードの変化位置（又は変化パターン）、当該コードの変化量（ＣＰＭ）（又は変化率（ＨＶＬ））、ビート（拍：強弱を持った一定のパルス信号）、当該ビートの最大値（又は、最小値、平均値）、当該ビートの変化位置（又は変化パターン）、当該ビートの変化量（ＢＰＭ）（又は変化率）、楽音の最大強度や平均強度、音量、当該音量の変化位置（又は変化パターン）などが挙げられる。【００２８】
これらの楽音特徴量の抽出には、公知の様々な方法を適用可能であるので、詳しい説明を省略するが、例えば、楽曲特徴量抽出部１３が、楽曲データを高速フーリエ変換（Fast Fourier Transform）して周波数分析を行い時間軸に沿った所定の時間間隔で周波数毎の音量値を算出してキー及びこれに関する量（キーの変化位置等）、コード及びこれに関する量（コードの変化位置や変化量等）の抽出を行ったり、所定のスレッショルドレベルにて楽曲データに係る波形のエンベロープを検出することによりビート及びこれに関する量（ビート（信号）の最大値等）の抽出を行う。【００２９】
なお、以上の楽曲特徴量の他にも、楽曲特徴量抽出部１３が、例えば楽曲のテンポ、リズム、更には、楽曲のサビ部分の位置や回数、サビ部分のキー、ビート、コード、及びこれらに関する量を公知の方法により抽出するように構成してもよい。【００３０】
情報記録再生部１４は、システム制御部１７の制御下、情報再生部１１により再生、出力された楽曲データ等を例えば圧縮して、ＨＤ、ＭＤ、ＣＤ−Ｒ／Ｗ、ＤＶＤ−Ｒ／Ｗ、又はカード型記録媒体等の記録媒体（記録手段）に記録すると共に、楽曲特徴量抽出部１３により抽出、出力された楽曲特徴量を当該楽曲データに関連付けて記録（記憶）するようになっている。【００３１】
更に、情報記録再生部１４は、システム制御部１７の制御下、上記記録媒体（記録手段）に記録されている楽曲データを再生し情報出力部１２に出力したり、記録された楽曲特徴量を読み出しシステム制御部１７に出力するようになっている。例えば、情報記録再生部１４がＨＤに楽曲データを記録するものである場合、当該情報記録再生部１４は、図示しないが、楽曲データを一時的に蓄積するバッファメモリ、楽曲データをエンコード（圧縮等）又はデコード（伸長等）するためのエンコーダ／デコーダ、記録手段としてのＨＤ、及びＨＤに楽曲データや楽曲特徴量を記録又はＨＤから再生等を行うＨＤドライブ等を備えており、当該楽曲データ等の記録、又は当該楽曲データ等の再生、出力等を行う。なお、ＨＤ以外の記録媒体（記録手段）から楽曲データ等を再生及び記録するための構成及び機能については公知の技術であるので、詳しい説明は省略する。【００３２】
操作部１５は、ユーザからの各種指示（例えば、楽曲データの再生及び記録等の指示、更には、表示指示、選択指示等）を入力するための複数の操作ボタンを備えており、ユーザにより操作ボタンが押下された場合に、その操作ボタンに応じた指示信号をシステム制御部１７に出力するようになっている。【００３３】
表示部１６は、楽曲データに関する情報を表示するための表示パネル（例えば液晶パネル等）を備えており、システム制御部１７の制御下、楽曲データに関する情報（例えば、タイトル、演奏時間等）を表示するようになっている。【００３４】
システム制御部１７は、演算機能を有するＣＰＵ、作業用ＲＡＭ、及び各種処理プログラム（楽曲再生処理プログラムを含む：この楽曲再生処理プログラムは、例えばインターネット上の所定のサーバからダウンロードされるようにしてもよいし、例えば、ＣＤ−ＲＯＭ等の記録媒体に記録されて当該記録媒体のドライブを介して読み込まれるようにしてもよい。）やデータを記憶するＲＯＭ等を備えている。【００３５】
そして、ＣＰＵがＲＯＭに記憶されたプログラムを実行することにより、コンピュータとしてのシステム制御部１７は、情報再生記録装置１全体を統括制御するとともに、本願の楽曲特徴量取得手段、曲調判別手段、再生リスト登録手段、再生態様選択受付手段、再生リスト再構成手段、及び再生制御手段等として機能するようになっている。【００３６】
具体的には、システム制御部１７は、操作部１５からの指示信号に従い、上記楽曲データを再生させるように情報再生部１１又は情報記録再生部１４を制御したり、上記楽曲データや楽曲特徴量等を記録させるように情報記録再生部１４を制御する。また、システム制御部１７は、操作部１５からの指示信号に従い再生リスト等の各種情報を表示部１６に表示させる。【００３７】
更に、システム制御部１７は、例えばユーザから操作部１５を介して再生リストに従った再生指示入力があった場合に、楽曲特徴量取得手段として、例えばＨＤに記録されている複数の楽曲データの夫々の特徴を示す楽曲特徴量を取得し（読み込み）、曲調判別手段として、上記取得された楽曲特徴量に基づいて、各楽曲データが、例えばユーザにより予め選択され記憶されていた曲調（例えば、明るい、ノリのいい、静かな、悲しい、又は癒される等）を有するか否かを判別する。【００３８】
図２は、曲調と楽曲特徴量との関係を規定したテーブルの一例を示す図であり、システム制御部１７は、図２に示すようなテーブルを参照しつつ、曲調判別を行うことになる。図２に示すテーブル例では、曲調としては、「明るい」、「ノリのいい」、「静かな」、「悲しい」が示され、楽曲特徴量としては、「キー」、「コードの変化率（ＨＶＬ）」、「ビートの変化量（ＢＰＭ）」、「ビートの最大値」、「楽音の平均強度（平均レベル）」が示されている。また、図２中、「高」、「中」、「低」は、各楽曲特徴量のレベルを意味しており、例えば、「高」は、８０〜１００の数値範囲で、「中」は、３０〜７９の数値範囲で、「低」は、０〜２９の数値範囲で、夫々表される（従って、「中〜高」は、３０〜１００の数値範囲を、「低〜中」は、０〜７９の数値範囲を表す）。また、図２中、「キー」の一例として「ハ長調」若しくは「イ短調」が示されているが、これについても、夫々、例えば、ある数値範囲で表される。【００３９】
このような図２に示すテーブルが参照されて曲調判別が行われる場合、例えば、ある楽曲データについて取得された各楽曲特徴量が、所定の曲調（例えばユーザにより予め選択され記憶されていた「明るい」曲調）に対応する図２に示す各楽曲特徴量のレベルを満たすか（言い換えれば、上記数値範囲に入るか）否かが判別され、満たす場合に当該楽曲データは当該曲調を有すると判別されることになる。【００４０】
ここで、曲調には、例えば同じ明るい曲調であっても、「かなり明るい」、「普通に明るい」、「少し明るい」、「若干明るい」等のレベル（段階）があり（これ以上に細分化してもよい）、このようなレベルを曲調レベルと称する（明るい、ノリのいい、静かな、悲しい、及び癒される等についても同様）。各楽曲データの曲調レベルは、各楽曲特徴量のレベルが総合的に考慮されて求められ数値化（例えば、楽曲特徴量の積算値、或いは平均値等）される。例えば、図２において、「コードの変化率」、「ビートの変化量」、「ビートの最大値」及び「楽音の平均強度」のうち、全てのレベルが「高」である場合は「かなり明るい」（曲調レベルが高い）となり、３つのレベルが「高」でありそれ以外のレベルが「中」である場合は「普通に明るい」となり、２つのレベルが「高」でありそれ以外のレベルが「中」である場合は「少し明るい」となり、全てのレベルが「中」である場合は「若干明るい」（曲調レベルが低い）となる。【００４１】
そして、システム制御部１７は、再生リスト登録手段として、このように曲調を有すると判別された複数の楽曲データを、所定の再生順序（例えば、楽曲データの曲調レベルの高い順又は低い順、又は登録順）に並べつつ当該曲調に対応する再生リストに登録（或いは、新たに当該曲調に対応する再生リストを生成）し（再生リストに登録された楽曲データは、例えば情報記録再生部１４におけるバッファメモリに一時的に蓄えられる）、再生制御手段として、当該再生リストに登録されている楽曲データの再生順序で複数の楽曲データを再生させることになる。【００４２】
更に、システム制御部１７は、例えばユーザから操作部１５を介して上記所定の再生順序を変更するための再生態様の選択があった場合には、再生態様選択受付手段として、かかる選択を受け付け、再生リスト再構成手段として、上記再生リストに登録されている複数の楽曲データの全部又は一部を上記選択に係る再生態様に応じた再生順序に並べ替えて当該再生リストを再構成し、再生制御手段として、当該並べ替えられた再生順序で当該楽曲データを再生させるようになっている。【００４３】
ここで、上記再生態様（再生パターン）には、例えば、「曲調レベル（スコアともいう）の高い楽曲と低い楽曲の交互再生」、「曲調レベルともが少し高い（例えば、少し明るい）楽曲の再生」、「曲調レベルがかなり高い（例えば、かなり明るい）楽曲の再生」等様々な再生態様があり、ユーザは、その時の気分で当該再生態様を選択（例えば、気分を変えたい場合は、「曲調レベルの高い楽曲と低い楽曲の交互再生」を選択）することになる。【００４４】
そして、１つの再生リストに登録されている複数の楽曲データの中から、例えば、曲調レベルが所定レベル（例えば、楽曲特徴量の積算値が３００）以上（又は所定レベル（例えば、楽曲特徴量の積算値が１００）以下）の一部の楽曲データが選定されたり、又は、曲調レベルが第１レベル（例えば、楽曲特徴量の積算値が１００）以上かつ第２レベル（例えば、楽曲特徴量の積算値が３００）以下の所定範囲にある一部の楽曲データを選定されたり、又は、一度再生された楽曲データ以外の楽曲データが選定されるように構成し、上記選定された複数の楽曲データが、曲調レベルが高い順と低い順とで交互に並べ替えられたり、又は曲調レベルの高い順又は低い順に並べ替えられるように構成してもよい。【００４５】
次に、図３等を参照して、情報再生記録装置１の動作例を説明する。【００４６】
図３は、再生リストに従って楽曲データが再生される場合のシステム制御部１７の楽曲再生処理の一例を示すフローチャートである。【００４７】
先ず、ユーザが操作部１５を操作して「再生リストに従った再生指示」を入力すると、上記図３に示す楽曲再生処理が開始され、システム制御部１７は、曲調の選択を促す情報（例えば、曲調一覧）を表示部１６に表示し、ユーザからの曲調選択を待つ（ステップＳ１〜ステップＳ５）。【００４８】
これに対して、ユーザが操作部１５を操作して所望の曲調、例えば、「明るい」曲調を選択すると、システム制御部１７は、続いて、再生態様の選択を促す情報（例えば、再生態様一覧）を表示部１６に表示し、ユーザからの再生態様選択を待つ（ステップＳ６〜ステップＳ９）。図３の例では、再生態様として、「楽曲の交互再生」、「少し明るい楽曲の再生」、「かなり明るい楽曲の再生」、「通常再生」が示されている。【００４９】
なお、「ノリのいい」、「静かな」、「悲しい」、及び「癒される」曲調が選択される場合の処理が図３中省略されているが、これらの処理は、「明るい」曲調が選択された場合の処理（ステップＳ６〜Ｓ２９）と基本的に同様（図中「明るい」を例えば「ノリのいい」に入れ替える）であるので説明を省略する。【００５０】
次に、ユーザが操作部１５を操作して所望の再生態様、例えば、「楽曲の交互再生」を選択すると、システム制御部１７は、これに応じ（ステップＳ６：Ｙ）、例えばＨＤに記録されている複数の楽曲データのうち１の楽曲データを選定し、当該楽曲データの楽曲特徴量を、情報記録再生部１４を介して例えばＨＤから取得し（読み込む）（ステップＳ１０）、上述したように、当該取得した楽曲特徴量に基づいて、当該選定した楽曲データが、例えば明るい曲調を有するか否かを判別する（ステップＳ１１）。そして、明るい曲調を有する場合には（ステップＳ１１：Ｙ）、システム制御部１７は、当該選定した楽曲データを明るい曲調に対応する再生リストに登録し（ステップＳ１２）、ステップＳ１３に移行する。一方、当該選定した楽曲データが明るい曲調を有しない場合には（ステップＳ１１：Ｎ）、当該楽曲データを再生リストに登録することなく、ステップＳ１３に移行する。【００５１】
ステップＳ１３では、当該楽曲データがＨＤ中の最終の楽曲データか（言い換えれば、当該楽曲データの他の楽曲データがＨＤに記録されているか）否かを判別し、当該楽曲データがＨＤ中の最終の楽曲データでない場合には（ステップＳ１３：Ｎ）、他の楽曲データを選定して、ステップＳ１０に戻り、上記と同様に処理を繰り返す。こうして、当該再生リストには、楽曲データが例えば曲調レベルが高い順に並べられつつ登録されていくことになる。【００５２】
一方、当該楽曲データがＨＤ中の最終の楽曲データである場合には（ステップＳ１３：Ｙ）、システム制御部１７は、上述したように、上記再生リストに登録された複数の楽曲データから、上記選択された再生態様、即ち、「楽曲の交互再生」に応じた楽曲データを選定（例えば、再生リスト中の全ての楽曲データを選定）し、当該選定した複数の楽曲データを、当該「楽曲の交互再生」に応じた再生順序、即ち、曲調レベルが高い順と低い順とで交互に並べ替えて当該再生リストを再構成する（ステップＳ１４）。【００５３】
図４は、再生リストに楽曲データが登録され、その後、再生リストが再構成される様子の一例を示す図であり、図４（Ａ）の例では、ＨＤに記録されている複数の楽曲データのうち明るい曲調を有する楽曲データが再生リストに登録された後、それら全ての楽曲データが選定されて曲調レベルが高い順と低い順とで交互に並べ替えられている。【００５４】
一方、ステップＳ７において、「少し明るい楽曲の再生」が選択されると、システム制御部１７は、例えばＨＤに記録されている複数の楽曲データのうち１の楽曲データを選定した後、ステップＳ１５〜Ｓ１８の処理（ステップＳ１０〜Ｓ１３の処理と同様）を行い、ステップＳ１９にて「少し明るい楽曲の再生」に応じた楽曲データを選定（例えば、再生リスト中の曲調レベルが所定レベル以下の楽曲データを選定（言い換えれば、曲調レベル（スコア）が高い楽曲データは除外される））し、当該選定した複数の楽曲データを、当該「少し明るい楽曲の再生」に応じた再生順序、例えば、図４（Ｂ）に示すように、曲調レベルが低い順に並べ替えて当該再生リストを再構成する。【００５５】
一方、ステップＳ８において、「かなり明るい楽曲の再生」が選択されると、システム制御部１７は、例えばＨＤに記録されている複数の楽曲データのうち１の楽曲データを選定した後、ステップＳ２０〜Ｓ２３の処理（ステップＳ１０〜Ｓ１３の処理と同様）を行い、ステップＳ２４にて「かなり明るい楽曲の再生」に応じた楽曲データを選定（例えば、再生リスト中の曲調レベルが所定レベル以上の楽曲データを選定（言い換えれば、曲調レベル（スコア）が低い楽曲データは除外される））し、当該選定した複数の楽曲データを、当該「かなり明るい楽曲の再生」に応じた再生順序、例えば曲調レベルが高い順に並べ替えて当該再生リストを再構成する。【００５６】
一方、ステップＳ９において、「通常再生」が選択されると、システム制御部１７は、例えばＨＤに記録されている複数の楽曲データのうち１の楽曲データを選定した後、ステップＳ２５〜Ｓ２８の処理（ステップＳ１０〜Ｓ１３の処理と同様）を行うが、この場合、再生リストを再生することなく、ステップＳ２９に移行する。【００５７】
そして、ステップＳ２９では、システム制御部１７は、上記再生リストに従って（「通常再生以外は、上記並べ替えられた再生順序で」当該選定された複数の楽曲データを再生させる（再生制御）。こうして、情報記録再生部１４から楽曲データが再生開始（演奏開始）され、情報出力部１２を介して外部に音波として出力されることになる。なお、上記再生リストは、ＨＤに記録、保存されるようにし、後から読み出して使用するように構成してもよいし、再生リストに登録された全ての楽曲データの再生後、消去されるように構成してもよい。【００５８】
以上説明したように、上記実施形態によれば、曲調毎に対応する再生リストに楽曲データを登録した後、ユーザにより選択された再生態様に応じて当該再生リストを再構成（楽曲データの再生順序を並び替える等）することにより、単調に楽曲データが再生されることがないようにしたので、ユーザに飽きさせることがなく、楽曲データを再生することができる。【００５９】
なお、上記実施形態において、上記再生リストに登録された楽曲データが再生される度に、当該楽曲データの曲調レベル（スコア）を所定値ずつ減算（又は加算）するように構成するように構成してもよい。このように構成すれば、１つの再生リストに登録されている複数の楽曲データの中から、例えば、曲調レベルが所定レベル以上（又は、加算の場合、所定レベル以下）の一部の楽曲データが選定される場合において、当該楽曲データを選定から除外することができる。【００６０】
また、上記実施形態においては、本願の楽曲再生装置を情報再生記録装置に対して適用したが、これに限定されるものではなく、例えば情報再生装置と情報記録装置とが専用ケーブルで接続された情報再生記録システムにおいて、情報再生装置と情報記録装置の何れか一方に対して適用可能である。また、本願の楽曲再生装置は、車載用、家庭用、又は携帯用のオーディオ機器ばかりでなく、パーソナルコンピュータ、ＰＤＡ等に対しても適用でき、更には車載用ナビゲーション装置に対しても適用可能である。【００６１】
なお、本発明は、上記実施形態に限定されるものではない。上記実施形態は、例示であり、本発明の請求の範囲に記載された技術的思想と実質的に同一な構成を有し、同様な作用効果を奏するものは、いかなるものであっても本発明の技術的範囲に包含される。【００６２】
また、２００４年９月２日に出願された明細書、特許請求の範囲、図面、要約を含む日本の特許出願（No. 2004-255325）の全ての開示は、その全てを参照することよって、ここに組み込まれる。
【図１】
2006025487.tif 000002
【図２】
2006025487.tif 000003
【図３】
2006025487.tif 000004
【図４】
2006025487.tif 000005
【国際調査報告】
2006025487.tif 000006
2006025487.tif 000007